(57)【特許請求の範囲】
【請求項１】
外周面と内周面を有し、前記内周面によって区画されるオイル流路が形成されたシャフトであって、
第１の内径を有する大内径部と、
前記大内径部に対して前記シャフトの軸方向に沿った一方の方向に隣接し、前記第１の内径より小さな第２の内径を有する小内径部と、
前記大内径部の内周面から前記シャフトの外周面に至る貫通孔と、
を備え、
前記小内径部は、前記大内径部から前記一方の方向に延在した延在部を内周側に折り曲げて形成されていることを特徴とする、シャフト。
【請求項２】
請求項１に記載のシャフトであって、
前記延在部は、径方向の厚さが前記大内径部の径方向の厚さより薄い薄肉部であり、
前記小内径部は、前記薄肉部を内周側に折り曲げて形成されていることを特徴とする、シャフト。
【請求項３】
請求項１または請求項２に記載のシャフトであって、
前記延在部は、縁部に形成された少なくとも１つの切り欠きを有することを特徴とする、シャフト。
【請求項４】
請求項３に記載のシャフトであって、
前記シャフトの前記一方の方向側で、軸受によって支持される支持面を有することを特徴とする、シャフト。
【請求項５】
請求項１ないし請求項４のいずれかに記載のシャフトであって、さらに、
前記大内径部の前記一方の方向の反対方向に隣接し、内周面にスプライン内歯が形成されたスプライン形成部であって、外周面にスプライン外歯が形成されたスプライン外歯形成部材がスプライン結合されるスプライン形成部を備えることを特徴とする、シャフト。
【発明の詳細な説明】
【技術分野】
【０００１】
本発明は、シャフトに関し、特に、軸内に、オイルを貯留するためのオイル貯留部を有するシャフトに関する。
【背景技術】
【０００２】
回転電機のロータのシャフトの内部に、ロータの回転時に遠心力によってオイルが貯留される貯留部を設ける構造が知られている（例えば、特許文献１）。この構造では、シャフトの内部に形成された油流路において、所定の内径を有する大内径部を設け、大内径部の両端に大内径部より小さな内径を持つ小内径部を配置している。この構造では、回転電機が回転しているとき、遠心力により大内径部の内周面に沿って流動するオイルが両端の小内径部によって堰き止められるため、大内径部がオイルを貯留するオイル貯留部として機能する。このオイル貯留部に内周面からシャフトの外周面に至る貫通孔を設けることにより、オイル貯留部からシャフトの外部（例えば、ロータコアなど）にオイルを供給している。この結果、シャフト内のオイル貯留部から安定した量のオイルをシャフトの外部に供給することができる。外部に供給されたオイルは、回転電機の構成部品（例えば、ロータコア、ステータ）の冷却等に用いられる。
【先行技術文献】
【特許文献】
【０００３】
【特許文献１】特開２００３−１９９２９２号公報
【発明の概要】
【発明が解決しようとする課題】
【０００４】
ところが、上記特許文献１の技術では、内径の小さな端部側から内径の大きなオイル貯留部を加工するために、例えば、シャフト製造時の切削工程の工程数の増加、切削量の増加により、製造工程の複雑化、長時間化を伴うおそれがあった。このような課題は、回転電機のシャフトに限らず、上述したオイル貯留部を有するシャフトに共通する課題であった。
【０００５】
本発明の主な利点は、内部にオイルを貯留するオイル貯留部を有するシャフトの製造を容易化できる技術を提供することである。
【課題を解決するための手段】
【０００６】
本発明は、上述の課題の少なくとも一部を解決するためになされたものであり、以下の形態又は適用例として実現することが可能である。
【０００７】
［適用例１］
外周面と内周面を有し、前記内周面によって区画されるオイル流路が形成されたシャフトであって、
第１の内径を有する大内径部と、
前記大内径部に対して前記シャフトの軸方向に沿った一方の方向に隣接し、前記第１の内径より小さな第２の内径を有する小内径部と、
前記大内径部の内周面から前記シャフトの外周面に至る貫通孔と、
を備え、
前記小内径部は、前記大内径部から前記一方の方向に延在した延在部を内周側に折り曲げて形成されていることを特徴とする、シャフト。
【０００８】
上記構成のシャフトによれば、小内径部が大内径部から軸方向に沿った一方の方向に延在した延在部を内周側に折り曲げて形成されている。すなわち、このシャフトは、大内径部を一方の方向側から加工した後に、延在部を内周側に折り曲げるだけで、大内径部と、大内径部の一方の方向に隣接した小内径部とを作製することができる。したがって、大内径部を加工する際に、複雑な加工工程、または、加工装置が不要である。この結果、加工が容易であり、かつ、大内径部と当該大内径部の端に配置された小内径部とによって区画されるオイル流路（貯留部）を有することでオイルの供給能力を向上させたシャフトを提供することができる。
【０００９】
［適用例２］
適用例１に記載のシャフトであって、
前記延在部は、径方向の厚さが前記大内径部の径方向の厚さより薄い薄肉部であり、
前記小内径部は、前記薄肉部を内周側に折り曲げて形成されていることを特徴とする、シャフト。
【００１０】
上記構成のシャフトによれば、径方向の厚さが前記大内径部の径方向の厚さより薄い薄肉部が内周側に折り曲げられることにより、小内径部が形成されている。この結果、さらに、加工が容易であり、かつ、大内径部と当該大内径部の端に配置された小内径部とによって区画されるオイル流路（貯留部）を有することでオイルの供給能力を向上させたシャフトを提供することができる。
【００１１】
［適用例３］
適用例１または適用例２に記載のシャフトであって、
前記延在部は、縁部に形成された少なくとも１つの切り欠きを有することを特徴とする、シャフト。
【００１２】
こうすれば、延在部を内周側に折り曲げる際に延在部の内径が小さくなるために生じる周方向の応力が切り欠きによって緩和されるので、延在部を容易に折り曲げることができる。この結果、さらに、加工が容易であり、かつ、大内径部と当該大内径部の端に配置された小内径部とによって区画されるオイル流路（貯留部）を有することでオイルの供給能力を向上させたシャフトを提供することができる。
【００１３】
［適用例４］
適用例３に記載のシャフトであって、
前記シャフトの前記一方の方向側で、軸受によって支持される支持面を有することを特徴とする、シャフト。
【００１４】
上記構成のシャフトによれば、延在部の切り欠き部から流出したオイルにより、軸受を潤滑することができる。
【００１５】
［適用例５］
適用例１ないし適用例４のいずれかに記載のシャフトであって、さらに、
前記大内径部の前記一方の方向の反対方向に隣接し、内周面にスプライン内歯が形成されたスプライン形成部であって、外周面にスプライン外歯が形成されたスプライン外歯形成部材がスプライン結合されるスプライン形成部を備えることを特徴とする、シャフト。
【００１６】
上記構成のシャフトによれば、一方の方向の端部が折り曲げ加工により形成された小内径部により堰き止められ、反対方向の端部がスプライン結合された部材により堰き止められたオイル貯留部を有するシャフトを提供することができる。この結果、さらに作成が容易であり、かつ、オイル流路（貯留部）を有することでオイルの供給能力を向上させたシャフトを提供することができる。
【００１７】
なお、本発明は、種々の形態で実現することが可能であり、例えば、上記シャフトを有するロータ、上記シャフトを有する回転電機、上記シャフトを有する回転電機を備えた動力伝達装置、これらの製造方法、等の形態で実現することができる。
【図面の簡単な説明】
【００１８】
【図１】回転電機ユニット１０００の概略分解斜視図である。
【図２】回転電機ユニット１０００の断面図である。
【図３】シャフト１００の第１の方向側の端部の構成を説明する図である。
【図４】シャフト１００の中間加工部材１００Ｍの第１の方向側の端部の構成を説明する図である。
【図５】中間加工部材１００Ｍの延在部１２０Ｍに施される折り曲げ加工の一例を示す概略図である。
【図６】第１変形例におけるシャフト１００ｂの第１の方向側の端部の構成を説明する図である。
【図７】第１変形例におけるシャフト１００ｂの中間加工部材１００ｂＭの第１の方向側の端部の構成を説明する図である。
【図８】第２変形例におけるシャフト１００ｃの第１の方向側の端部の構成を説明する図である。
【図９】第３変形例におけるシャフト１００ｄの第１の方向側の端部の構成を説明する図である。
【発明を実施するための形態】
【００１９】
Ａ．実施例：
Ａ１．回転電機ユニットの構成：
図１は、回転電機ユニット１０００の概略分解斜視図である。図１においてｘ方向、ｙ方向、および、ｚ方向を図示するように定義する。図２は、回転電機ユニット１０００の断面図である。図２は、図１のＢ−Ｂ断面をｙ方向に向かって見た図である。
【００２０】
図１および図２に示すように、回転電機ユニット１０００は、回転電機ＭＧと、ケース蓋部ＣＳａとケース本体部ＣＳｂとを含む収容ケースＣＳとを備える。回転電機ＭＧは、ステータＳＴと、ロータＲＯとを備える。回転電機ＭＧは、モータおよびジェネレータとしての機能を有する。
【００２１】
中心軸Ｃは、ステータＳＴの中心軸であり、ロータＲＯおよび後述するロータＲＯのシャフト１００の回転軸でもある。以下、中心軸Ｃに沿った方向（Ｘ軸方向）を軸方向とも呼び、軸方向のうち、＋Ｘ方向を第１の方向、−Ｘ方向を第２の方向とも呼ぶ。さらに、中心軸Ｃと垂直な方向であって中心軸Ｃから遠ざかる方向を径方向外側方向とも呼ぶ。また、径方向外側方向の反対方向、すなわち、軸Ｃと垂直な方向であって、径方向外側方向から中心軸Ｃに向かう方向を、径方向内側方向とも呼ぶ。
【００２２】
図１に示すように、ステータＳＴがケース本体部ＣＳｂにネジ３０によって固定され、ステータＳＴの径方向内側にロータＲＯが配置されたうえで、ケース蓋部ＣＳａとケース本体部ＣＳｂがネジ４０で固定されて、回転電機ユニット１０００が組み立てられる。
【００２３】
図２を参照しながら、さらに、説明する。ステータＳＴは、略円筒形状のステータコア２０と、ステータコア２０に巻き付けられた導線からなるコイルとを備える。ステータコア２０は、複数のリング状の電磁鋼板を積層して円筒状に構成されている。このようにして構成されるステータコア２０は、内周部に、均等なピッチで配置される複数のスロット部２１（図１）を備える。コイルは、スロット部２１に巻かれて構成され、図２には、ステータコア２０の軸方向の両端外側に位置するコイルエンド１３が図示されている。
【００２４】
ロータＲＯは、シャフト１００と、ロータコア７０と、第１のエンドプレート８０と、第２のエンドプレート９０と、を備えている。第１のエンドプレート８０は、ロータコア７０の第１の方向（＋Ｘ方向）の端面である第１端面７０ａに取り付けられる。第２のエンドプレート９０は、ロータコア７０の第２の方向（−Ｘ方向）の端面である第２端面７０ｂに取り付けられる。ロータコア７０と第１のエンドプレート８０と第２のエンドプレート９０は、軸方向に沿って見た形状がいずれも中心に孔を有する円形であり、図２に示すように、シャフト１００に外嵌され、ストッパ６０によって、シャフト１００に固定されている。
【００２５】
シャフト１００は、第１の方向側の端部が軸受１０ａを介してケース蓋部ＣＳａに回転可能に支持されるとともに、第２の方向側の端部が軸受１０ｂを介してケース本体部ＣＳｂに回転可能に支持されている。
【００２６】
シャフト１００は、大内径部１１０と、大内径部１１０の第１の方向に隣接するとともにシャフト１００の第１の方向側の端部に位置する小内径部１２０と、大内径部１１０の第２の方向に隣接するとともに、シャフト１００の第２の方向側の端部に位置するスプライン形成部１３０とを有している。大内径部１１０は、内径Ｒ１の内周面を有し、中心軸Ｃを中心として軸方向に延びる円筒状の軸内孔１１０ａが形成された部分である。大内径部１１０には、内周面から外周面に至るように、径方向に貫通する貫通孔ＨＬが形成されている。小内径部１２０は、大内径部１１０の内径Ｒ１より小さな内径Ｒ２を有し、大内径部１１０の軸内孔１１０ａと同様に中心軸Ｃを中心とする内周縁１２０ａを有する薄肉部分である。スプライン形成部１３０は、内周面の全周に亘ってスプライン内歯１３０ａが形成されている部分である。
【００２７】
スプライン形成部１３０には、シャフト１００とは別部材で構成された伝達シャフト５０が第２の方向側から嵌合される。すなわち、伝達シャフト５０の外周面にはスプライン外歯５０ａが周方向の全周に亘って形成されており、スプライン形成部１３０のスプライン内歯１３０ａに噛み合うように構成されている。伝達シャフト５０は、回転電機ＭＧがモータとして機能するとき、回転電機ＭＧが発生する駆動力を外部に出力することが可能である。また、伝達シャフト５０は、回転電機ＭＧに外部からの駆動力を伝達して、回転電機ＭＧをジェネレータとして機能させることが可能である。
【００２８】
また、伝達シャフト５０には、オイルを大内径部１１０の軸内孔１１０ａに供給するための軸内孔５０ｂが形成されている。また、図２に示すように、大内径部１１０の軸内孔１１０ａの第１の方向側の端部には小内径部１２０が配置され、第２の方向側の端部には、伝達シャフト５０が配置されている。回転電機ＭＧが回転しているときに、伝達シャフト５０の軸内孔５０ｂを介して、大内径部１１０の軸内孔１１０ａにオイルが供給されると、オイルは、大内径部１１０の軸内孔１１０ａの内周面に沿って流動する。しがたって、回転電機ＭＧが回転しているときに、軸内孔１１０ａに供給されたオイルは、軸内孔１１０ａの第１の方向側では、小内径部１２０によって堰き止められると共に、第２の方向側では、伝達シャフト５０によって堰き止められる。この結果、大内径部１１０の軸内孔１１０ａは、図２にクロスハッチングで示すように、遠心力によって内周面に沿ってオイルを貯留することができるオイル貯留部として機能する。
【００２９】
ロータコア７０は、複数の電磁鋼板を積層して形成された略円筒形状部材である。公知の構造であるので詳細は省略するが、ロータコア７０の外周近傍には、複数の永久磁石が軸方向に挿入されて固定保持されているとともに、永久磁石より内周側には、軸方向に貫通する複数の貫通孔である複数のコア内油路７１が形成されている。
【００３０】
第１のエンドプレート８０は、ロータコア７０の第１の方向側の端面である第１端面７０ａに取り付けられる略円盤状部材である。公知の構造であるので詳細は省略するが、第１のエンドプレート８０には、ロータコア７０の第１端面７０ａとの間に軸方向から見て環状を有する第１環状油路８０ａを形成する環状凹部が形成されている。第１環状油路８０ａは、ロータコア７０の複数のコア内油路７１の第１の方向の端部に連通している。また、第１のエンドプレート８０には、一端が第１環状油路８０ａと連通し、他端が第１のエンドプレート８０の第１の方向側の面に開口する複数の貫通孔８０ｂが形成されている。
【００３１】
第２のエンドプレート９０は、ロータコア７０の第２の方向側の端面である第２端面７０ｂに取り付けられる略円盤状部材である。第１のエンドプレート８０と同様に、第２のエンドプレート９０には、ロータコア７０の第２端面７０ｂとの間に軸方向から見て環状を有する第２環状油路９０ａを形成する環状凹部が形成されている。第２環状油路９０ａは、ロータコア７０の複数のコア内油路７１の第２の方向の端部に連通している。また、第２のエンドプレート９０には、一端が第２環状油路９０ａと連通し、他端が第２のエンドプレート９０の第２の方向側の面に開口する複数の貫通孔９０ｂが形成されている。第２のエンドプレート９０には、さらに、ロータコア７０の第２端面７０ｂとの間に径方向に延びる供給油路９０ｃを形成する溝が形成されている。供給油路９０ｃは、径方向内側方向の端がシャフト１００に形成された貫通孔ＨＬに連通し、径方向外側方向の端が第２環状油路９０ａに連通している。
【００３２】
以上のような概略構成を有する回転電機ＭＧの冷却の仕組みについて説明する。回転電機ＭＧの回転中に、上述したように遠心力によりシャフト１００内部にオイルが貯留される。貯留されたオイルは、図２に矢印で示すように、遠心力により、シャフト１００の貫通孔ＨＬ、第２のエンドプレート９０の供給油路９０ｃ、および、第２のエンドプレート９０の第２環状油路９０ａを通って、ロータコア７０のコア内油路７１に供給される。コア内油路７１に供給されたオイルは、図２に矢印で示すように、第１のエンドプレート８０の貫通孔８０ｂおよび第２のエンドプレート９０の貫通孔９０ｂを通って、遠心力によりコイルエンド１３に供給される。このようなオイルの流動によって、主としてロータコア７０およびステータＳＴのコイルの冷却が行われる。
【００３３】
Ａ２．シャフト１００の端部の構成、および、加工方法
次に、上述したシャフト１００の第１の方向側の端部の構成と、加工方法についてさらに説明する。図３は、シャフト１００の第１の方向側の端部の構成を説明する図である。図３（ａ）は、シャフト１００の第１の方向側の端部の斜視図を示している。図３（ｂ）は、シャフト１００を中心軸Ｃを通る平面で切断したカットモデルを図３（ａ）と同じ角度から見た図を示している。
【００３４】
シャフト１００の大内径部１１０は、上述したロータコア７０等が外嵌される中央部１１２と、中央部１１２の第１の方向側に位置し、外径が小さい支持部１１１とを有している。中央部１１２と支持部１１１の内径は、同じ（Ｒ２）であるので、支持部１１１の径方向の厚さｔ２は、中央部１１２の径方向の厚さｔ３より薄い。支持部１１１は、上述したケース蓋部ＣＳａに取り付けられた軸受１０ａ（図２）に支持されるために形成される部分である。すなわち、支持部１１１の外周面Ｓ１と、中央部１１２の第１の方向側の端面Ｓ２とが、軸受１０ａに支持される支持面である。
【００３５】
支持部１１１の第１の方向側に位置する小内径部１２０は、軸方向の厚さｔ１のリング形状を有している。このリング形状の内周縁１２０ａは、大内径部１１０の内径Ｒ２より小さい内径Ｒ１を有し、外周縁は、内径Ｒ２より若干大きい外径を有している。小内径部１２０の軸方向の厚さｔ１は、上述した支持部１１１の厚さｔ２より、さらに、薄い（ｔ１＜ｔ２＜ｔ３）。なお、小内径部１２０は、後述するように折り曲げ加工によって形成されることができる程度の厚さであれば良く、例えば、折り曲げ加工が可能であれば、支持部１１１の厚さｔ２と同程度でも良い。そして、小内径部１２０のリング形状の外周縁は、小内径部１２０の第１の方向側の端面の内周面近傍に接続している。このように、小内径部１２０は、軸受１０ａの支持を受ける支持部１１１より外側（第１の方向側）に配置されている。
【００３６】
図４は、シャフト１００の中間加工部材１００Ｍの第１の方向側の端部の構成を説明する図である。図４（ａ）は、中間加工部材１００Ｍの端部の斜視図を示している。図４（ｃ）は、中間加工部材１００Ｍを中心軸Ｃを通る平面で切断したカットモデルを図４（ａ）と同じ角度から見た図を示している。
【００３７】
シャフト１００の作製にあたり、まず、図４に示す中間加工部材１００Ｍが準備される。中間加工部材１００Ｍには、上述した大内径部１１０の支持部１１１の内周近傍から第１の方向に延在する延在部１２０Ｍが形成されている。延在部１２０Ｍは、大内径部１１０（支持部１１１および中央部１１２）と同一の内径Ｒ２を有し、径方向の厚さＴ１の筒形状を有している。延在部１２０Ｍの径方向の厚さＴ１は、支持部１１１の厚さｔ２より薄く、上述した小内径部１２０の軸方向の厚さｔ１（図３（ｂ））と、ほぼ同一の厚さである。後述する折り曲げ加工によって、厚さが変動し得るため、異なる符号を付した。
【００３８】
中間加工部材１００Ｍは、所定の金属、例えば、炭素鋼によって形成されており、鋳造によって大まかな外形が成形された後、切削加工によって仕上げられる。延在部１２０Ｍの内径が、大内径部１１０の内径と同一であるため、特殊なバイトを用いることなく、一般的な中ぐりバイトを用いた旋盤加工によって、第１の方向側から延在部１２０Ｍおよび大内径部１１０の内部の孔を加工することができる。また、内径の異なる複数の部分を有する形状、特に、小さな内径を有する部分が外側に位置する形状を切削する場合と比較して、切削量を少なくすることができる。
【００３９】
次に、中間加工部材１００Ｍに、延在部１２０Ｍに延在部１２０Ｍを内周側に折り曲げる折り曲げ加工が施されて、小内径部１２０が形成される。図５は、中間加工部材１００Ｍの延在部１２０Ｍに施される折り曲げ加工の一例を示す概略図である。
【００４０】
図５に示すように、中間加工部材１００Ｍは、旋盤などに固定され、中間加工部材１００Ｍの中心軸Ｃを中心に回転させられる。中間加工部材１００Ｍが回転している状態で、軸Ｔを中心軸とする円筒形状のローラＲＬの側面が、延在部１２０Ｍの第１の方向（図５における上方）の端部に、押し当てられる。ローラＲＬの側面は、例えば、中心軸Ｃと垂直な面に対して所定の角度θを為すように斜めにされた状態で、径方向外側方向から押し当てられる（図５左）。そして、ローラＲＬは、延在部１２０Ｍが内周側に折り曲げられるに従って、角度θが小さくなり、最終的にはローラＲＬの側面が中心軸Ｃに対して垂直になるまで回動させられる（図５右）。これにより、延在部１２０Ｍが、小内径部１２０に加工される。この折り曲げ加工は、一例にすぎず、小内径部１２０は、他の加工法、例えば、延在部１２０Ｍを第１の方向側（図５における上方）から第２の方向（図５における下方）に、金型によって押圧するプレス加工によって、形成されても良い。
【００４１】
以上説明した回転電機ＭＧのシャフト１００は、上述したように小内径部１２０が大内径部１１０から第１の方向に延在した延在部１２０Ｍを内周側に折り曲げて形成されている。すなわち、このシャフト１００は、大内径部１１０を第１の方向側から加工した後に、延在部を内周側に折り曲げるだけで、大内径部１１０と、大内径部１１０の第１の方向に隣接した小内径部１２０とを作製することができる。したがって、大内径部１１０を加工する際に、複雑な加工工程、または、加工装置が不要である。この結果、加工が容易であり、かつ、大内径部１１０と小内径部１２０とによって区画されるオイル貯留部を有することでオイルの供給能力を向上させたシャフト１００が提供される。
【００４２】
また、シャフト１００の中間加工部材１００Ｍの延在部１２０Ｍは、径方向の厚さＴ１が大内径部の径方向の厚さ（ｔ２およびｔ３）より薄くされている。この結果、折り曲げ加工により、容易に延在部１２０Ｍを小内径部１２０に成形することができる。
【００４３】
ここで、小内径部１２０は、軸受１０ａの支持を受ける支持部１１１より外側（第１の方向側）に配置されているので、小内径部１２０は、軸受１０ｂの支持を受け止めるだけの剛性を有する必要がない。したがって、小内径部１２０は、折り曲げ加工によって容易に形成されることができる程度に十分に薄い厚さｔ１に設計できる。また、小内径部１２０がシャフト１００の最端部に薄肉で形成されているので、シャフト１００の長さを過度に長くすることなく、シャフト１００の内部に形成されるオイル貯留部を大型化することができる。
【００４４】
Ｂ．変形例：
なお、上記実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００４５】
シャフトの小内径部は、大内径部から第１の方向に延在する延在部が折り曲げて加工されていれば良く、上記実施例に示す形状に限らず、様々な形状が採用され得る。その他の形状の例を、第１変形例〜第３変形例として以下に説明する。
【００４６】
Ｂ１．第１変形例：
図６は、第１変形例におけるシャフト１００ｂの第１の方向側の端部の構成を説明する図である。図７は、第１変形例におけるシャフト１００ｂの中間加工部材１００ｂＭの第１の方向側の端部の構成を説明する図である。
【００４７】
第１変形例におけるシャフト１００ｂが実施例におけるシャフト１００と異なる点は、第１変形例におけるシャフト１００ｂの小内径部１２０ｂの内周縁には切り欠き１２１が形成されている点である。図６に示すように、小内径部１２０ｂの内周縁には、４つの切り欠き１２１が周方向に分散配置されている。
【００４８】
この切り欠き１２１は、図７に示すように、小内径部１２０ｂが折り曲げ加工により形成される前の状態の中間加工部材１００ｂＭの延在部１２０ｂＭに形成される。切り欠き１２１が形成された延在部１２０ｂＭが実施例と同様の折り曲げ加工によって、小内径部１２０ｂに成形される。
【００４９】
第１変形例におけるシャフト１００ｂのその他の構成は、実施例におけるシャフト１００の構成と同一であるので、同一の構成については、図６、図７において実施例と同一の符号を付し、その説明を省略する。
【００５０】
第１変形例におけるシャフト１００ｂによれば、延在部１２０ｂＭを内周側に折り曲げる際に延在部１２０ｂＭの内径が小さくなるために生じる周方向の応力が切り欠き１２１きによって緩和されるので、延在部１２０ｂＭを容易に折り曲げることができる。したがって、実施例のシャフト１００に比較して、さらに、加工が容易である。
【００５１】
さらに、シャフト１００ｂを図２に示すような回転電機に採用すれば、切り欠き１２１を介して、シャフト１００ｂの第１の方向側を支持する軸受１０ａに対して、シャフト１００ｂ内のオイル貯留部からオイルを供給することができる。この結果、軸受１０ａを潤滑することができる。切り欠き１２１の大きさや数を調整することにより、シャフト１００ｂ内のオイル貯留部に貯留されたオイルを、貫通孔ＨＬから流出して回転電機ＭＧの冷却に用いられる分と、切り欠き１２１から流出して軸受１０ａの潤滑に用いられる分とに、適宜な割合で振り分けることができる。
【００５２】
Ｂ２．第２変形例：
図８は、第２変形例におけるシャフト１００ｃの第１の方向側の端部の構成を説明する図である。第２変形例におけるシャフト１００ｃが実施例におけるシャフト１００と異なる点は、第２変形例におけるシャフト１００ｃの小内径部１２０ｃと支持部１１１との間に薄肉大内径部１２５が配置されている点である。
【００５３】
図示は省略するが、第２変形例の中間加工部材の延在部は、実施例の中間加工部材１００Ｍの延在部１２０Ｍ（図４）より、軸方向の長さが長くされている。そして、中間加工部材の延在部のうち、第１の方向側の一部分が内周側に折り曲げ加工されて小内径部１２０ｃに成型されている。そして、中間加工部材の延在部のうちの他の部分（第２の方向側の部分）は、折り曲げ加工されずに、薄肉大内径部１２５となっている。
【００５４】
このように、必ずしも延在部の全体が小内径部に加工される必要はなく、延在部の少なくとも一部が小内径部に加工されていれば良い。
【００５５】
Ｂ３．第３変形例：
図９は、第３変形例におけるシャフト１００ｄの第１の方向側の端部の構成を説明する図である。第３変形例におけるシャフト１００ｄが実施例におけるシャフト１００と異なる点は、第３変形例における小内径部が、支持部１１１の第１の方向に隣接する内側薄肉大内径部１２３と、シャフト１００ｄの第１の方向の最端部に位置する外側薄肉大内径部１２２と、の間に配置されたくびれ形状部１２０ｄである点である。くびれ形状部１２０ｄを中心軸Ｃを通る平面で切断した断面は、図９（ｂ）に示すように、内周側に凸の凸形状となっている。
【００５６】
図示は省略するが、第３変形例の中間加工部材の延在部は、実施例の中間加工部材１００Ｍの延在部１２０Ｍ（図４）より、軸方向の長さが長くされている。そして、中間加工部材の延在部のうち、外側薄肉大内径部１２２と内側薄肉大内径部１２３に挟まれた中間部分が上述したくびれ形状部１２０ｄを形成するように内周側に折り曲げられて小内径部に成型されている。
【００５７】
Ｂ４．第４変形例：
上記実施例では、小内径部１２０は、図５に示すように、延在部１２０Ｍを中心軸Ｃに対して９０度まで折り曲げて形成されているが、これに限られない。延在部１２０Ｍは、所望の油量がオイル貯留部に貯留できる程度の内径の小内径部１２０が形成できるまで折り曲げられれば良く、９０度未満の折り曲げ角（例えば、６０度、７０度）であっても良い。
【００５８】
Ｂ５．第５変形例：
上記実施例では、本発明は、回転電機ＭＧのシャフト１００に適用されているが、内部にオイル貯留部を有するタイプのシャフトであれば、回転電機のシャフトに限られず、また、軸受によって支持されるタイプのシャフトにも限られない。また、シャフト１００の第２の方向側の端部は、スプライン結合によって小内径にされている必要はなく、第１の方向側の端部と同様に、折り曲げ加工によって形成されていても良い。具体的には、シャフト１００の大内径部１１０の第２の方向側に、大内径部１１０から第２の方向に延在した延在部を設けて、その延在部を内周側に折り曲げて小内径部を形成して良い。
【００５９】
こうすれば、シャフトの両端の小内径部を両方とも折り曲げ加工によって容易に作製することができる。この結果、加工が容易であり、かつ、大内径部と当該大内径部の端に配置された小内径部とによって区画されるオイル流路（貯留部）を有することでオイルの供給能力を向上させたシャフトを提供することができる。
【００６０】
Ｂ６．第６変形例：
上記実施例および変形例の回転電機ＭＧは、電気自動車、あるいは、ハイブリッド車両のモータおよび／またはジェネレータとして好適であるが、これに限らず、あらゆる機械、移動体におけるモータおよび／またはジェネレータとして適用可能である。
【符号の説明】
【００６１】
１０ａ、１０ｂ...軸受
１３...コイルエンド
２０...ステータコア
５０...伝達シャフト
６０...ストッパ
７０...ロータコア
８０...第１のエンドプレート
９０...第２のエンドプレート
１００、１００ｂ〜１００ｄ...シャフト
１１０...大内径部
１１１...支持部
１１２...中央部
１２０...小内径部
１２０Ｍ...延在部
１０００...回転電機ユニット
ＭＧ...回転電機
ＲＯ...ロータ
ＣＳ...収容ケース
ＳＴ...ステータ
【図１】
0005598378.tif 000002
【図２】
0005598378.tif 000003
【図３】
0005598378.tif 000004
【図４】
0005598378.tif 000005
【図５】
0005598378.tif 000006
【図６】
0005598378.tif 000007
【図７】
0005598378.tif 000008
【図８】
0005598378.tif 000009
【図９】
0005598378.tif 000010